(57)【要約】【課題】ポイントサービスの会員認証のために専用のカードリーダーを必要としないバーコード付クレジットカードと、それを使用して現金決済であるかクレジット決済であるかにかかわらずカードポイントを一括して管理できるカードポイント管理方法を提供すること。【解決手段】ＰＯＳ端末で読み取り可能なバーコート２を有するバーコード付クレジットカード１であって、前記バーコード２にポイントサービス会員番号が記録されている。このバーコード付クレジットカード１を使用したカードポイント管理方法は、現金決済の場合、ＰＯＳ端末４でバーコードを読み取ってポイントサービスの会員認証を行う段階と、会員認証された場合に、ポイントサービス会員番号をキーとしてポイントサーバー７にカードポイントを加算する段階と、加算後のカードポイントをＰＯＳ端末４からのレシートに印字して出力する段階とを含む。【選択図】    図２
2004174808.tif 000002
【特許請求の範囲】
【請求項１】
ＰＯＳ端末で読み取り可能なバーコートを有するバーコード付クレジットカードであって、前記バーコードにポイントサービス会員番号が記録されているバーコード付クレジットカード。
【請求項２】
請求項１に記載のバーコード付クレジットカードを使用したカードポイント管理方法であって、
現金決済の場合、ＰＯＳ端末でバーコードを読み取ってポイントサービスの会員認証を行う段階と、
会員認証された場合に、ポイントサービス会員番号をキーとしてポイントサーバーにカードポイントを加算する段階と、
加算後のカードポイントをＰＯＳ端末からのレシートに印字して出力する段階と、
を含むカードポイント管理方法。
【請求項３】
クレジット決済の場合、ＰＯＳ端末でバーコード付クレジットカードに記録されているクレジットカード番号を読み取ってクレジットカードの利用承認を行う段階と、
利用承認された場合に、クレジットカード番号をキーとして会員管理サーバーにカードポイントを加算する段階と、
クレジットカード番号と紐付けされたポイントサービスの会員番号をキーとして、前記クレジットカード番号に基づくカードポイントをポイントサーバーに加算する段階と、
を含む請求項２に記載のカードポイント管理方法。
【発明の詳細な説明】
【０００１】
【発明の属する技術分野】
本発明は、商品等の販売店やサービスを提供する店舗などにおいて、顧客への商品の販売やサービス利用の都度、その売上金額に応じてポイントを加算し、商品の減額等の特典を与える、いわゆるポイントサービスのうち、クレジットカードを活用したポイントサービスに使用するバーコード付クレジットカードと、それを利用したカードポイント管理方法に関する。
【０００２】
【従来の技術】
クレジットカードを活用したポイントサービスにおいて、カードポイントを管理するための装置や方法としては、例えば、特許文献１〜４に見られるように、各種の技術が提案されている。
【０００３】
かかるポイントサービスにおいて、顧客が販売店において商品を買った場合などにカードポイントを加算するためには、まず、その顧客がポイントサービスの会員であるか否かの会員認証を行う必要がある。しかし、上記の各特許文献で提案された技術では、会員認証のための会員番号等の情報はカードに磁気によって記録されているため、会員認証のためには、専用のカードリーダーが必要である。
【０００４】
また、このカードポイント管理では、クレジット処理のシステムを介するため、現金決済への対応ができず、現金決済用のポイントカードを別に発行する必要がある。このため、ポイント積算情報は、現金決済分とクレジット決済分とが別々に会員に提供され、会員とっては利便性の悪いものであった。
【０００５】
【特許文献１】
特開平１０−２１４３８２号公報
【０００６】
【特許文献２】
特開平１１−１９５０６１号公報
【０００７】
【特許文献３】
特開平１１−３３９１３０号公報
【０００８】
【特許文献４】
特許第３１７４５００号公報
【０００９】
【発明が解決しようとする課題】
本発明が解決しようとする課題は、ポイントサービスの会員認証のために専用のカードリーダーを必要としないバーコード付クレジットカードと、それを使用して現金決済であるかクレジット決済であるかにかかわらずカードポイントを一括して管理できるカードポイント管理方法を提供することにある。
【００１０】
【課題を解決するための手段】
上記課題を解決するために、バーコード付クレジットカードは、ポイントサービス会員番号が記録された、ＰＯＳ端末で読み取り可能なバーコートを有し、このバーコートをＰＯＳ端末で読み取ることにより、ポイントサービスの会員認証を行うものである。このように、本発明のバーコード付クレジットカードでは、販売店等の既存のＰＯＳ端末によってポイントサービスの会員認証を行うことができるので、会員認証のための専用のカードリーダーは不要である。
【００１１】
本発明のカードポイント管理方法は、前記のバーコード付クレジットカードを利用したものであって、現金決済の場合、ＰＯＳ端末でバーコードを読み取ってポイントサービスの会員認証を行う段階と、会員認証された場合に、ポイントサービス会員番号をキーとしてポイントサーバーにカードポイントを加算する段階と、加算後のカードポイントをＰＯＳ端末からのレシートに印字して出力する段階とを含む。このカードポイント管理方法において、クレジット決済の場合には、ＰＯＳ端末でバーコード付クレジットカードに記録されているクレジットカード番号を読み取ってクレジットカードの利用承認を行い、利用承認された場合に、クレジットカード番号をキーとして会員管理サーバーにカードポイントを加算し、クレジットカード番号と紐付けされたポイントサービス会員番号をキーとして、前記クレジットカード番号に基づくカードポイントをポイントサーバーに加算する。
【００１２】
このように、本発明のカードポイント管理方法では、ＰＯＳシステムを介してポイント管理を行うので、現金決済であるかクレジット決済であるかにかかわらずカードポイントを一括して管理することができる。すなわち、現金決済の場合もクレジット決済の場合も最終的にはポイントサーバーにポイント情報を蓄積するので、そのバーコード付クレジットカードにかかわる全てのポイント一括して管理することができる。
【００１３】
【発明の実施の形態】
以下、添付図に示す実施例によって本発明の実施の形態を説明する。
【００１４】
図１は、本発明のバーコード付クレジットカード（以下「本カード」という。）の裏面図である。同図に示すように、本カード１の裏面には、ポイントサービスの会員番号を記録したバーコード２と、クレジットカード番号を記録した磁気テープ３が設けられている。バーコード２は、通常のＰＯＳシステムのＰＯＳ端末にて読み取り可能であり、これによってポイントサービスの会員認証を行うようにしている。
【００１５】
図２は、本カードを利用した本発明のカードポイント管理方法を実施するためのシステム構成図である。同図に示すシステムは、ＰＯＳ端末４と、クレジットサーバー５と、会員管理サーバー６と、ポイントサーバー７とから構成されている。
【００１６】
ＰＯＳ端末４は、バーコードリーダーを備えた通常タイプのものを使用できる。クレジットサーバー５には、クレジットカード番号とその番号に対応する顧客の利用情報、支払情報等の顧客情報が格納されており、この顧客情報に基づいてクレジットカードの利用承認の可否が判断される。会員管理サーバー６は、クレジットサーバー５及びポイントサーバー７と接続されており、その中では、ポイントサービス会員番号とクレジットカード番号とが紐付けされ、その顧客に対応するポイントが格納されている。ポイントサーバー７はＰＯＳ端末４及び会員管理サーバー６と接続されており、ポイントサービス会員番号毎にポイントを蓄積格納するようになっている。そのうち現金決済の場合のカードポイントは、ＰＯＳ端末４からポイントサービス会員番号をキーとして直接加算される。クレジット決済の場合のカードポイントも、会員管理サーバー６でポイントサービス会員番号とクレジットカード番号とが紐付けされているので、最終的にはポイントサービス会員番号をキーとしてポイントサーバー７に加算される。
【００１７】
図３は、図２のシステムの処理手順を示すフロー図である。以下、図３を参照して本発明のカードポイント管理方法の各段階を説明する。
【００１８】
まず、顧客からクレジットカードの申込があると（段階１）、ポイントサービス会員番号とクレジットカード番号が発番される（段階２）。ポイントサービス会員番号は、図２のポイントサーバー７に格納され、クレジットカード番号は図２のクレジットサーバー５に格納される（段階３）。さらに、ポイントサービス会員番号とクレジットカード番号とが紐付けされて会員管理サーバー６に格納され（段階４）、この会員管理サーバー６からの情報に基づいて本カード１（バーコード付クレジットカード）が発行される（段階５）。
【００１９】
本カード１の利用にあたって、現金決済の場合は、図１に示す本カード１のバーコード２をＰＯＳ端末４のバーコードリーダーで読み取り（段階６）、ポイントサーバー７に格納されているポイントサービス会員番号と照合することによって会員認証を行う（段階７）。会員認証されると、その利用・購入金額に応じたカードポイントがポイントサーバー７に加算され（段階８）、そのポイントサービス会員番号に対応するカードポイント情報が更新される（段階９）。そして、ＰＯＳ端末４は、ポイントサーバー７から更新後のカードポイント情報を受け取り、レシートにそのカードポイントを印字して出力する（段階１０）。
【００２０】
また、顧客が減額等の特典を利用すると（段階１１）、それに応じたカードポイントがポイントサーバー７に格納されているカードポイント情報から減算され（段階１２）、ポイントサーバーが更新される（段階９）。更新されたポイント情報は、後日の現金決済時のレシート出力のときに反映される。
【００２１】
一方、クレジット決済の場合は、図１に示す本カード１の磁気テープ３をＰＯＳ端末４で読み取り（段階１３）、クレジットサーバー５に格納されているクレジットカード番号と照合し、その顧客情報を照会することによってクレジットカードの認証・利用承認を行う（段階１４）。利用承認されなかった場合は、現金決済となる。利用承認された場合、その利用・購入金額に応じたカードポイントはクレジットサーバー５を経由して会員管理サーバー６に加算される（段階１５）。加算されたポイントは会員毎に集計され、フレキシブルディスクや光磁気ディスク、磁気テープなどの各種記憶媒体にして会員管理サーバー６に出力される（段階１６）。会員管理サーバー６では、先に説明したように、ポイントサービス会員番号とクレジットカード番号とが紐付けされているので、ポイントサービス会員番号毎にカードポイントが格納される（段階１７）。このクレジット決済によるカードポイントは、ポイントサービス会員番号をキーとしてポイントサーバー７に加算され、ポイントサーバーが更新される（段階９）。更新されたポイント情報は、後日の現金決済時のレシート出力のときに反映される。
【００２２】
【発明の効果】
本発明によって以下の効果を奏する。
【００２３】
１．  専用のカードリーダーを使用せずに既存のＰＯＳ端末によってポイントサービスの会員認証が可能であるので、専用のカードリーダーが不要であり、既存ＰＯＳの大幅なシステム変更も不要である。
【００２４】
２．  現金決済であるかクレジット決済であるかにかかわらず、一枚のカードで会員認証とカードポイントの管理が可能なため、顧客の利便性が向上し購買率の向上に繋がる。
【００２５】
３．  ポイントの告知には店頭でのレシートを活用するため、従来の請求書等によるポイント告知費用が大幅に削減される。
【００２６】
４．  最新の積算ポイントがレシートで確認でき、且つ店頭での即時交換が可能なため、リピート利用の向上に繋がる。
【図面の簡単な説明】
【図１】本カードの概略平面図（裏面図）である。
【図２】本カードを利用した本発明のカードポイント管理方法を実施するためのシステム構成図である。
【図３】図２のシステムにおける処理手順を示すフロー図である。
【符号の説明】
１  バーコード付クレジットカード（本カード）
２  バーコード
３  磁気テープ
４  ＰＯＳ端末
５  クレジットサーバー
６  会員管理サーバー
７  ポイントサーバー
【図１】
2004174808.tif 000003
【図２】
2004174808.tif 000004
【図３】
2004174808.tif 000005